(57)【要約】【課題】レーベル面に情報を書込み際に、フォーカスサーボに使用される検出信号ノイズを低減させ、フォーカスサーボを安定にさせることができるディスク装置および光ディスク装置のフォーカス制御方法を提供する。【解決手段】光ピックアップ６５からのレーザによる光ディスク６１上の光学スポットのうち、書込み用のメインスポット及びサブビームによって形成されるサブスポットの両方を用いて、フォーカスエラーを検出する。【選択図】      図８
2007102864.tif 000002
【特許請求の範囲】
【請求項１】
光ディスクのレーベル面に光ピックアップのレーザを用いて所定の情報を書き込む光ディスク装置であって、
前記レーザによって前記光ディスクのレーベル面に、書込み用の光スポットを形成する手段と、フォーカス検出用の光スポットを形成する手段を有し、前記フォーカス検出用の光スポットの面積を、前記書込み用の光スポットの面積より大きくすることを特徴とする光ディスク装置。
【請求項２】
前記書込み用の光スポットは１つであり、前記フォーカス検出用の光スポットは前記書込み用の光スポットに加えて２つの補助光学スポットからなり、前記フォーカス検出用の光スポットの面積は前記３つの光学スポットを包括した大きさであることを特徴とする請求項１に記載の光ディスク装置。
【請求項３】
前記２つの補助光学スポットは、前記光ピックアップのレーザによって生成されるトラッキング制御用のサブビームによって形成させることを特徴とする請求項２に記載の光ディスク装置。
【請求項４】
光ディスクのレーベル面に光ピックアップのレーザを用いて所定の情報を書き込む光ディスク装置のフォーカス制御方法であって、
前記レーザによって前記光ディスクのレーベル面に照射されるフォーカス検出用の光スポットの面積を、前記レーザによって前記光ディスクのレーベル面に照射される書込み用の光スポットの面積より大きくすることを特徴とする光ディスク装置。
【発明の詳細な説明】
【技術分野】
【０００１】
本発明は、光ディスクのレーベル面にレーザを使って文字などを記録する場合に、レーザのフォーカス方向に光学ヘッドを適切に制御できる光ディスク装置および光ディスク装置のフォーカス検出方法に係る。
【背景技術】
【０００２】
光ディスク装置のレーザ光を利用して、光ディスクのレーベル面に画像形成を行う技術が開示されている（例えば、特許文献１参照）。
【０００３】
当該技術では、光ディスクのレーベル面（一般的にデータを記録する記録面とは逆の面）に絵文字等を記録する場合、レーベル面の記録では、記録層の表面粗さが大きいことによりフォーカスエラー信号のノイズが大きくなり、またレーベル面とは逆の通常の情報記録層に対する記録とピックアップを共用するため、最適フォーカス点が大きくずれることとなる。このため、フォーカスサーボが安定して実行できない。
【０００４】
また、レーザによる光スポットを適切に光ディスク面に制御させるために、フォーカスサーボが用いられる。このフォーカスサーボの方式には２種類があり、一つは、クローズドループ方式で、リアルタイムに制御される。一般的にフォーカスサーボと呼ばれている方式である。もう一つは、オープンループ方式で、ある時間間隔で、見直しを測るためリアルタイムでは制御されない。フィードフォワード方式と呼ばれている。
【特許文献１】特開２００３−２０３３４８号公報。
【発明の開示】
【発明が解決しようとする課題】
【０００５】
上述した従来の技術において、光ディスクとレーザ光の相対移動を行う場合には、光ディスクを回転させる技術が採用されている。
【０００６】
当該技術の場合、光ディスクの基板を透過してスポットを形成するように構成された光学系を使って光ディスクの表面に集光しようとしても、収差によりスポット径が大きくなってしまうと同時にフォーカスエラー信号の対称性が崩れる問題が生じる。また、光ディスクのレーベル面は、シルク印刷などにより表面精度が悪化するため、フォーカスエラー信号に表面粗さに対応した信号が大きく現れる。これらの要因により、安定したフォーカスサーボが達成困難な問題が生じることになる。
【０００７】
また、光ディスクの表面のフォーカス深度は、１０〜３０um前後であり、光ディスクの面振れは、一般的なＣＤ光ディスクで、０.５mm位を想定する必要があり、フォーカスサーボオフでは実用に耐えられない。さらにフォーカスエラー信号は、Ｓ字の端であるため、またＳ字信号が荒れているためにリアルタイムのフォーカスサーボが安定しない。フィードフォワード方法においても、反射光信号が荒れているため、最大値が安定して検出できないという問題がある。
【０００８】
本発明の目的は、フォーカスサーボに使用される検出信号ノイズを低減させ、フォーカスサーボを安定にさせることができるディスク装置および光ディスク装置のフォーカス制御方法を提供することである。
【課題を解決するための手段】
【０００９】
上記目的を達成するために、本願発明の一態様によれば、光ディスクのレーベル面に光ピックアップのレーザを用いて所定の情報を書き込む光ディスク装置であって、前記レーザによって前記光ディスクのレーベル面に、書込み用の光スポットを形成する手段と、フォーカス検出用の光スポットを形成する手段を有し、前記フォーカス検出用の光スポットの面積を、前記書込み用の光スポットの面積より大きくすることを特徴とする光ディスク装置が提供される。
【００１０】
このため、フォーカスサーボに使用される検出信号ノイズを低減させ、フォーカスサーボを安定にさせることができる。
【発明の効果】
【００１１】
本発明を用いることにより、レーベル面に情報を書込み際に、フォーカスサーボに使用される検出信号ノイズを低減させ、フォーカスサーボを安定にさせるディスク装置および光ディスク装置のフォーカス制御方法を提供することができる。
【発明を実施するための最良の形態】
【００１２】
（第１実施形態）
以下図面を参照して、本発明の実施形態を説明する。
【００１３】
図１は、ノート型のパーソナルコンピュータを示した模式図である。パーソナルコンピュータ１０は、本発明の光ディスク装置である、例えばＤＶＤドライブ等の内蔵型のスリム型光ディスク装置１１（図においては光ディスク装置のトレイが出ている状態を示している）を搭載している。このコンピュータ１０には、光ディスク装置１１に対し、光ディスクに記録するための情報や光ディスクから再生した情報を記憶する半導体メモリやハードディスク装置と、光ディスクへの情報の記録や再生を指示すると共に、これらの情報を処理するためのＣＰＵ等を備えている。
【００１４】
光ディスク装置１１は、図２に示すように、イジェクトボタン１１ａを備えており、このイジェクトボタン１１ａを押下する等により、ドロワー部１１ｂが図３に示すように射出される。
【００１５】
図４は、本発明に係る光ディスク装置の構成を示すブロック図である。
【００１６】
光ディスク装置１１にセットされた光ディスク６１は、ユーザデータを記録可能な光ディスクあるいは読出し専用の光ディスクであるが、この実施形態では記録可能な多層構造の光ディスクとして説明する。なお、情報記録面を多層構造で有する光ディスクとしては、ＤＶＤ−Ｒ等が挙げられるが、これに限らず多層記録可能な光ディスクであればよい。
【００１７】
光ディスク６１の情報記録面には、スパイラル状にランドトラックおよびグルーブトラックが形成されている。この光ディスク６１はスピンドルモータ６３によって回転駆動される。
【００１８】
光ディスク６１に対する情報の記録、再生は、光ピックアップ６５（図中左側の破線で囲んだ部分）によって行われる。光ピックアップ６５は、スレッドモータ６６とギアを介して連結されており、このスレッドモータ６６はスレッドモータ制御回路６８により制御される。
【００１９】
図中のスレッドモータ６６の下部に位置する速度検出回路６９は、光ピックアップの移動速度を検出するものであり、上述のスレッドモータ制御回路６８に接続されている。速度検出回路６９により検出される光ピックアップ６５の速度信号がスレッドモータ制御回路６８に送られる。また、スレッドモータ６６の固定部に、図示しない永久磁石を設けており、駆動コイル６７がスレッドモータ制御回路６８によって励磁されることにより、光ピックアップ６５が光ディスク６１の半径方向に駆動する。
【００２０】
光ピックアップ６５には、図示しない例えばワイヤあるいは板バネによって支持された対物レンズ７０が設けられる。対物レンズ７０は、駆動コイル７１、７２の駆動によりトラッキング方向（レンズの光軸と直交する方向）およびフォーカシング方向（レンズの光軸方向）への移動が可能である。
【００２１】
変調回路７３は、光ディスク６１への情報記録する場合、ホスト装置９４からインターフェース回路９３およびバス８９を介して記録する情報信号を受け、これを光ディスク６１の規格に定められた変調方式（例えば８−１６変調）にて変調する。レーザ駆動回路７５は、光ディスク６１への情報記録時（マーク形成時）に、変調回路７３から供給される変調データに基づいて書込み用信号を半導体レーザダイオード７９に供給する。またレーザ駆動回路７５は、情報再生時には書込み用信号より小さい読取り用信号を半導体レーザダイオード７９に供給する。
【００２２】
半導体レーザダイオード７９は、レーザ駆動回路７５から供給される信号に応じてレーザ光を発生する。半導体レーザダイオード７９から発せられるレーザ光は、コリメータレンズ８０、ハーフプリズム８１、対物レンズ７０を介して光ディスク６１上に照射される。光ディスク６１からの反射光は、対物レンズ７０、ハーフプリズム８１、集光レンズ８２、シリンドリカルレンズ８３を介して光検出器８４に導かれる。
【００２３】
光検出器８４は、例えば４分割の光検出セル８４ａ〜８４ｄから構成されている。光検出器８４の各光検出セル８４ａ〜８４ｄの出力信号は、それぞれ電流／電圧変換用のアンプ８５ａ〜８５ｄを介して、光検出セル８４ａと光検出セル８４ｃの出力を加算する加算器８６ａ、光検出セル８４ｂと光検出セル８４ｄの出力を加算する加算器８６ｂ、光検出セル８４ａと光検出セル８４ｄの出力を加算する加算器８６ｃ、光検出セル８４ｂと光検出セル８４ｃの出力を加算する加算器８６ｄに供給される。加算器８６ａ、８６ｂの出力は差動アンプＯＰ２に供給され、加算器８６ｃ、８６ｄの出力はＯＰ１に供給される。
【００２４】
差動アンプＯＰ２は、加算器８６ａ、８６ｂの両出力信号の差に応じた、フォーカスエラー信号ＦＥを生成する。このフォーカスエラー信号ＦＥは、フォーカシング制御回路８７に供給される。フォーカシング制御回路８７の出力信号は、フォーカシング駆動コイル７２に供給される。供給されたフォーカシング制御回路８７の出力信号に基づいて、レーザ光が光ディスク６１の記録面上に常時ジャストフォーカスとなる制御がなされる。
【００２５】
差動アンプＯＰ１は、加算器８６ｃ、８６ｄの両出力信号の差に応じたトラッキングエラー信号ＴＥを生成する。このトラッキングエラー信号ＴＥはトラッキング制御回路８８に供給され、トラッキング制御回路８８では、このトラッキングエラー信号ＴＥに応じてトラッキング駆動信号を生成する。トラッキング制御回路８８から出力されるトラッキング駆動信号は、対物レンズ７０を光軸と直交する方向へ駆動する駆動コイル７１に供給される。供給されたトラッキング駆動信号に基づいて、レーザ光が光ディスク６１の記録面上の所定箇所に照射される制御がなされる。また、トラッキング制御回路８８で用いられるトラッキングエラー信号ＴＥが、スレッドモータ制御回路６８にも供給される。
【００２６】
以上のようにフォーカシング制御およびトラッキング制御がなされることで、光検出器８４の光検出セル８４ａ〜８４ｄの出力信号の和信号、つまり加算器８６ｃ、８６ｄの両出力信号を加算する加算器８６ｅの出力和信号ＲＦによって、記録情報に忠実な信号を得ることができる。この出力和信号ＲＦは、データ再生回路７８に供給される。
【００２７】
次に、図４の最下部に位置するデータ再生回路７８は、ＰＬＬ回路７６からの再生用クロック信号に基づき、読み出された記録データを再生する。さらにデータ再生回路７８は、信号ＲＦの振幅を測定する測定機能を有し、その測定値は、バス８９を介してＣＰＵ９０に出力される。
【００２８】
スレッドモータ制御回路６８は、スレッドモータ６６を制御し、対物レンズ７０が光ピックアップ６５内の中心位置近傍に位置するように光ピックアップ６５の本体を移動させる。
【００２９】
また、モータ制御回路６４、スレッドモータ制御回路６８、変調回路７３、レーザ駆動回路７５、ＰＬＬ回路７６、データ再生回路７８、フォーカシング制御回路８７、トラッキング制御回路８８等は、１つのＬＳＩチップ内に構成することができ、これら回路は、バス８９を介してＣＰＵ９０によって制御される。ＣＰＵ９０は、インターフェース回路９３を介してホスト装置９４から供給される動作コマンドに従って、この光ディスク記録再生装置を総合的に制御する。またＣＰＵ９０は、ＲＡＭ９１を作業エリアとして使用し、ＲＯＭ９２に記録されたこの発明の実施に係る処理を含むプログラムに従って、所定の制御を行う。
【００３０】
次に、本発明の光ディスク装置を適用した光ディスク装置のフォーカス制御方法について、図５〜図９を用いて説明する。
【００３１】
図５は、本発明の第１実施形態に係る光ディスク装置の光学系の構成を示した模式図である。本実施形態では、３ビームを使用したＤＰＰ（作動プッシュプル）方式を示している。
【００３２】
光ディスク装置の光学系は、レーザダイオード１００、グレーティング１０２、プリズム１０４、フロントモニタ１０６、コリメータレンズ１０８、シリンドリカルレンズ１１０、フォトディテクタ１１２、対物レンズ１１４から構成されている。
【００３３】
＜光ディスクへの情報記録時＞
以下、図４、図５、図９を参照して説明する。
【００３４】
レーザダイオード１００から出射した光は、３ビーム（図９参照：トラック１６０上に配置される１つのメインビーム１６２と２つのサブビーム１６４、１６６）に分割するためのグレーティング１０２を通過し、半透明であるプリズム１０４で２つの分割される。分割された内の１つの光は、透過しフロントモニタ１０６に至り、分割されたもう一方の光は、反射してコリメータレンズ１０８に入射する。
【００３５】
フロントモニタ１０６の出力は、ＡＰＣ回路で、再生／記録／消去などのタイミングでサンプルホールドされ、それぞれの基準と比較され、その誤差信号に応じて所望のパルスタイミングにて、レーザ駆動回路７５によりレーザダイオード１００を駆動する。
【００３６】
一方、コリメータレンズ１０８で、平行光に変換された光は、対物レンズ１１４により集光され光ディスク６１の情報面に照射される。
【００３７】
光ディスク６１で反射された光は、対物レンズ１１４、コリメータレンズ１０８、プリズム１０４を通過し、非点収差法のためのシリンドリカルレンズ１１０を通過し、フォトディテクタ１１２に照射される。
【００３８】
フォトディテクタ１１２の出力は、情報の再生または、記録された情報の消去の反射信号を得るために所定のタイミングでサンプルホールドされた後、演算処理され、フォーカスエラー、トラッキングエラー、全反射信号、フォーブリング信号などの各種信号をＲＦアンプで得る。
【００３９】
フォーカスエラー信号ＦＥは、上述したフォーカシング制御回路８７で、特性補償され、アクチュエータの駆動コイル７２によりフォーカス駆動し、対物レンズ１１４を光ディスク６１方向に駆動する。トラッキングエラー信号ＴＥは、上述したトラッキング制御回路８８で、特性補償され、対物レンズ１１４を光ディスク６１の半径方向に駆動する。なお、フォーブリング信号は、図示しないＲＦアンプで、ＡＴＩＰ（Absolute Time In Pre-groove）信号を分離し情報信号処理をされ、アドレス信号などのＡＴＩＰ情報を得て、コントローラで読み取り、光ディスク６１情報を得る。
【００４０】
また、スピンドルモータ６３の回転は、ＣＡＶ（Constant Angular Velocity）制御では、ＦＧ信号（回転信号）が所望の周波数になるように基準周波数と比較され、その誤差信号で、スピンドルモータ６３が駆動される。ＣＬＶ制御では、フォーブル周波数と基準周波数とを比較（周波数と位相を比較）し、その誤差信号でスピンドルモータ６３を駆動する。
【００４１】
光ディスク６１への記録データは、図４に示すように、ホスト装置９４よりインターフェース回路９３およびバス８９を介して受け取り、所定の付加情報を加えて所望のフォーマットにエンコードする。そして、フォーブリング信号に応じたタイミングで、レーザ駆動回路７５によりレーザダイオード１００を駆動する。なお、シーク動作やフォカスサートなどの動作説明は、省略する。
【００４２】
＜光ディスクのレーベル面への書込み時＞
以下、図４、図５を参照して説明する。なお、光ディスクのレーベル面とは、通常の情報記録面とは逆の面のことをいう。
【００４３】
スピンドルモータ６３は、ＦＧ信号と基準周波数を比較して、その誤差信号で駆動される。基準周波数は、光ピックアップ６５の光ディスク６１の半径方向の位置に応じてコントローラが変更し、ＣＡＶ動作をさせる。
【００４４】
光ディスク６１の半径方向の位置（目的記録の光ディスク位置）は、ホスト装置９４よりインターフェース回路９３およびバス８９を介してコントローラに伝達される。
【００４５】
フォーカシング制御回路８７によるフォーカス制御は、光ディスク６１のＦＧ信号により光ディスク６１の１回転の角度情報を得るとともに、光ディスク６１からのＬＶＬ（反射光）が最大になる駆動信号を生成する。ここでは、光ディスク６１の１回転を数分割したフォーカス駆動信号をコントローラのメモリにＦＧ信号に基ずいて記憶し、記憶した信号をＦＧ信号に基ずいて順次呼び出して駆動コイル７２を駆動する。
【００４６】
図６は、光ディスク６１の表面が記録面（ミラー面）である場合のフォーカスエラー信号と反射光信号の測定結果を示した模式図である。
【００４７】
図７は、図６と同一条件下で光ディスク６１の表面がレーベル面である場合のフォーカスエラー信号と反射光信号の測定結果を示した模式図である。図７からわるようにＳ／Ｎが悪いと精度が低下し、ノイズの原因は光ディスク表面の粗さであることがわかる。
【００４８】
光ディスク６１の１回転のフォーカス駆動信号の学習は、光ディスク６１の半径位置が異なるほど誤差が生じる。このため、記録する光ディスク位置がある程度異なった場合には、一旦記録を停止し、上述した学習を行い、以後新しいフォーカス駆動信号生成をして記録を継続する。なお、トラック方向の制御は、光ピックアップ６５に装着した図示しないピックアップ位置検出器による位置情報を用いて行う。
【００４９】
光ディスク６１のトラックは、同心円状の記録であり、レーベル面に記録する記録画像（絵文字等）は、半径によって密度を変更する必要がある。この変換は、パーソナルコンピュータ等に搭載されているアプリケーションが行う。したがって、コントローラは、各トラックの１回転分ずつのデータをホスト装置９４から受け取る。
【００５０】
各トラックの位置は、図示しないピックアップ位置検出器の出力と基準信号を比較することによって制御される。比較結果は、ＴＥ信号に替えて一制御に対応した特性に変換し、トラッキング制御回路８８に与えられ、駆動コイル７２を駆動する。しかし、駆動コイル７２の変位は、ピックアップ位置検出には、反映されない。つまりフィードバックループを構成していない。
【００５１】
また、送りモータを駆動して光ピックアップ６５を移動させる。このため光ピックアップ６５の位置は、フィードバックループを構成しているため、位置検出器の出力と基準信号とが一致するように動作する。
【００５２】
この際摩擦などの影響により定常誤差が生じる。この誤差信号は、駆動コイル７２に伝達され、スポット位置が補正され、定常誤差を補償する。
【００５３】
光ディスク６１上の回転位置は、所定の基準位置を設定し１回転に1回の信号をＦＧ信号から生成する。または、光ディスクにマークを付けておき、ピックアップで読み取りそのタイミングをＦＧ信号に基づいてメモリに記憶しておき、ＦＧ信号で読み出して使用してもかまわない。コントローラは、光ディスク６１のレーベル面の所定のトラックから、上記基準位置に基づいて書込みを行い、１トラックの書込みが終了したら、次のトラックへ移動して書込み動作を行う。この繰り返しでレーベル面に文字や画像を書き込む。
【００５４】
また、フォーカスの検出は、書込み動作時には行わない。光ディスク６１のレーベル面に書込みを行う場合、レーザを照射した部分をコントラストを得るために黒色（反射光が無い状態）にする必要があり、光ディスク６１からの反射光が得られないためである。
【００５５】
このため、レーベル面の全面に書込みを行う場合を想定すると、記録する前に光ディスク６１のフォーカス方向の振れを測定し、測定値を記憶しておき、光ディスク６１への記録時に、記憶した測定値に基づいて駆動コイル７２を駆動させるオープンサーボを使用する（フィードフォワード法とも言う）。
【００５６】
フォーカス駆動信号を学習する方法としては２つの方法が考えられる。
【００５７】
１つ目の方法としては、フォーカスサーボを掛けておき、この時のフォーカス駆動信号をＦＧ信号タイミングで記憶し、記録時の記憶信号でフォーカスアクチュエータを駆動する場合について説明する。
【００５８】
図６に示すように、フォーカスエラー信号の中心とＬＶＬの最大値が一致しない問題と、図７に示すように、光ディスクのレーベル面の表面の粗さが信号に現れてしまう問題がある。
【００５９】
２つ目の方法としては、光ディスク１周を数分割のタイミングで光ディスクの面振れをサンプリングし、その情報により駆動信号を生成する。
【００６０】
この方法の場合、サンプリングするためには、ＬＶＬの最大値とフォーカス駆動信号の一致をさせるために、フォーカスサーチをする必要がある。すなわち、ＬＶＬが最大かどうかは、その前後に位置をずらし判別する。このサーチ速度は、図７に示すように、ＬＶＬの荒さを平均するために、遅くする必要がある。
【００６１】
図８は、ＬＶＬとフォーカスエラー信号ＦＥの演算処理を示したブロック図である。
【００６２】
レーザダイオード１００より出射した光は、３ビーム（メインビーム１、サブビーム２）となり光ディスク６１で反射される。このうち、メインビームは、フォトディテクタ１１２であるＡ，Ｂ，Ｃ，Ｄ（１１２ａ）に照射される。また２つのサブビームは、それぞれフォトディテクタ１１２であるＦ１、Ｆ２、Ｆ３，Ｆ４（１１２ｂ）及びＥ１，Ｅ２，Ｅ３，Ｅ４（１１２ｃ）に照射される。
【００６３】
光ディスク６１からの反射光である光スポットを捉えるように構成している。
【００６４】
図８に示したＦＥ信号１５０は、以下の演算により得られる。
【００６５】
（Ａ＋Ｃ）−（Ｂ＋Ｄ）＋
（Ｆ１＋Ｆ３）−（Ｆ２＋Ｆ４）＋
（Ｅ１＋Ｅ３）−（Ｅ２＋Ｅ４）
また、ＬＶＬ信号１５２は、以下の演算により得られる。
【００６６】
（Ａ＋Ｂ＋Ｃ＋Ｄ）＋
（Ｆ１＋Ｆ２＋Ｆ３＋Ｆ４）＋
（Ｅ１＋Ｅ２＋Ｅ３＋Ｅ４）
なお、フォーカシング制御のための光スポット面積の拡大に関しては、メインビームだけでなく、トラッキング制御用のサブビームも使って行うため、包括的に大きな光スポットをもってフォーカシング制御を行っていることと同義になる。これによりレーベル面の粗さの影響を低減させ、良好なフォーカシング制御が可能になる。
【００６７】
また、記録に供するメインビームに比べ、記録しないサブビームは、光強度が１／１０となり異なる。この強度の違いは、ピックアップそれぞれで異なるため、図８に示したＫ１およびＫ２で信号レベルを最適化する。
【００６８】
この最適化手法は、ＦＥまたは、ＬＶＬのリップルを監視して、最小になるようにコントローラ１４０で調整する。
【００６９】
また加算比率は、コントローラ１４０により、Ｋ１、Ｋ２の比率を変えるように構成している。加算比率は、ＦＥおよびＬＶＬのノイズが最も少なくなるように決定されるが、Ｋ１およびＫ２は、あらかじめ決定しておくこともできる。また、光ディスク６１が変わった場合ごとに学習しても良い。この場合、ＦＥおよびＬＶＬをＨＰＦを通過させた後のノイズレベルを考慮してＫ１およびＫ２を最適な値に制御する。
【００７０】
以上より、通常の情報記録面においてフォーカシング制御に使用するメインビームの光スポット面積に対して、レーベル面に書込みを行う場合にはメインビームとトラッキング制御用の２つのサブビームの各光スポットを合わせて使用するため、フォーカス状態を監視するビームの面積を大きくすることができ、検出信号のノイズを低下させることができる。また、情報記録用の光学系をレーベル書込み時に共用することができる。
【００７１】
（第２実施形態）
図１０は、本発明の第２実施形態に係る光学系の構成を示した模式図である。なお、第１実施形態と同様の構成は同符号を付し、詳細な説明を前述に譲る。第２実施形態の第１実施形態との相違点は、第１実施形態に比べて、プリズム１２２、アパーチャ１１８、レーザダイオード１２０が追加されている点である。すなわち、記録系と再生系の光学系を独立した構成としている
以上のような構成において、フォーカス学習時には、レーザダイオード１００をＯＦＦし、レーザダイオード１２０をＯＮする。レーザダイオード１２０の光は、アパーチャ１１８にて絞られ、ＮＡ（開口率）を小さくし、光ディスク６１上の読み取りスポットサイズを大きくする。そして、光ディスク６１からの反射光をフォトディテクタ１１２に集光させ、ＦＥ信号とＬＶＬ信号を得る。なお、スポットサイズは、λ／ＮＡとなるため、ＮＡを小さくする構成または手段を用いればよい（λ：波長）（ＮＡ：開口率）。
【００７２】
以上より、記録系と再生系の光学系を独立した構成としているため、光ディスク６１表面で、ＦＥ信号のセンターとＬＶＬの最大をほぼ等しくできる。また、読み取りスポットサイズを大きくすることができる。
【００７３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７４】
【図１】本発明の第１実施形態に係るノート型のパーソナルコンピュータを示した模式図。
【図２】本発明の第１実施形態に係る光学ドライブを示した模式図。
【図３】本発明の第１実施形態に係る光学ドライブからドロワー部が射出した状態を示した模式図。
【図４】本発明の第１実施形態に係る光ディスク装置の構成を示すブロック図。
【図５】本発明の第１実施形態に係る光ディスク装置の光学系の構成を示した模式図。
【図６】光ディスクの表面が記録面（ミラー面）である場合のフォーカスエラー信号と反射光信号の測定結果を示した模式図。
【図７】図６と同一条件下で光ディスクの表面がレーベル面である場合のフォーカスエラー信号と反射光信号の測定結果を示した模式図。
【図８】反射光信号（ＬＶＬ）とフォーカスエラー信号（ＦＥ）の演算処理を示したブロック図。
【図９】本発明の第１実施形態に係るＤＰＰ方式を用いた光ディスクのトラック上における３つのレーザスポットの配置を示した模式図。
【図１０】本発明の第２実施形態に係る光学系の構成を示した模式図。
【符号の説明】
【００７５】
１０…コンピュータ、１１…光ディスク装置、１１ａ…イジェクトボタン、１１ｂ…ドロワー部、６１…光ディスク、６３…スピンドルモータ、６４…モータ制御回路、６５…光ピックアップ、６６…スレッドモータ、６７…駆動コイル、６８…スレッドモータ制御回路、６９…速度検出回路、７０…対物レンズ、７１．７２…駆動コイル、７１…駆動コイル、７２…駆動コイル、７３…変調回路、７５…レーザ駆動回路、７６…ＰＬＬ回路、７８…データ再生回路、７９…半導体レーザダイオード、８０…コリメータレンズ、８１…ハーフプリズム、８２…集光レンズ、８３…シリンドリカルレンズ、８４…光検出器、８４ａ〜８４ｄ…光検出セル、８４ａ…光検出セル、８４ｃ…光検出セル、８４ｂ…光検出セル、８４ｄ…光検出セル、８５ａ〜８５ｄ…アンプ、８６ａ…加算器、８６ｂ…加算器、８６ｃ…加算器、８６ｄ…加算器、８６ａ．８６ｂ…加算器、８６ｃ．８６ｄ…加算器、８６ｅ…加算器、８７…フォーカシング制御回路、８８…トラッキング制御回路、８９…バス、９０…ＣＰＵ、９１…ＲＡＭ、９２…ＲＯＭ、９３…インターフェース回路、９４…ホスト装置、１００…レーザダイオード、１０２…グレーティング、１０４…プリズム、１０６…フロントモニタ、１０８…コリメータレンズ、１１０…シリンドリカルレンズ、１１２…フォトディテクタ、１１４…対物レンズ、１１８…アパーチャ、１２０…レーザダイオード、１２２…プリズム、１４０…コントローラ。
【図１】
2007102864.tif 000003
【図２】
2007102864.tif 000004
【図３】
2007102864.tif 000005
【図４】
2007102864.tif 000006
【図５】
2007102864.tif 000007
【図６】
2007102864.tif 000008
【図７】
2007102864.tif 000009
【図８】
2007102864.tif 000010
【図９】
2007102864.tif 000011
【図１０】
2007102864.tif 000012